(57)【要約】【課題】  小さな薄肉部材の位置決めを確実に行う。【解決手段】  互いに開閉可能で型閉時に相互間にキャビティ13を形成する固定型11及び可動型12を用い、キャビティ13内に薄肉部材２を配置した後、型閉めし、キャビティ13内に樹脂Ｊを射出して成形体１を製造する。キャビティ13に進退可能な位置決めピン15を可動型12に設け、薄肉部材２に孔２Ａを形成し、キャビティ13内に配置した薄肉部材２の孔２Ａに位置決めピン15を挿入した後、型閉めしたキャビティ13内に樹脂Ｊを射出する。薄肉部材２の孔２Ａに位置決めピン15を挿入した状態で、樹脂Ｊを射出するため、位置決めピン15により薄肉部材２が位置決めされ、位置ずれを生じることがない。【選択図】  図１
2006062203.tif 000002
【特許請求の範囲】
【請求項１】
互いに開閉可能で型閉時に相互間にキャビティを形成する複数の型体を用い、前記キャビティ内に薄肉部材を配置した後、型閉めし、前記キャビティ内に樹脂を射出して成形体を製造する薄肉部を有する射出成形体の製造方法において、前記キャビティに進退可能な位置決めピンを前記型体に設け、前記薄肉部材に孔を形成し、前記キャビティ内に配置した薄肉部材の前記孔に前記位置決めピンを挿入した後、型閉めしたキャビティ内に樹脂を射出することを特徴とする薄肉部を有する射出成形体の製造方法。
【請求項２】
前記型体は前記成形体を突き出す突き出しピンを備え、樹脂の射出後、前記位置決めピンを後退し、この後、前記突き出しピンにより成形体を離型することを特徴とする請求項１記載の薄肉部を有する射出成形体の製造方法。
【請求項３】
型開きの前に前記位置決めピンを後退することを特徴とする請求項２記載の薄肉部を有する射出成形体の製造方法。
【発明の詳細な説明】
【技術分野】
【０００１】
本発明は、薄肉部を有する射出成形体の製造方法に関する。
【背景技術】
【０００２】
従来、薄肉部を有するプラスチック製品を射出成形により製造する場合には、相互に開閉可能な型体間に所望とする薄肉部を有する成形体に対応したキャビティを形成する金型装置を用いて、型閉め時にキャビティ内に溶融樹脂を充填し、これを冷却固化した後型開き及び離型を行うものであるが、薄肉部を有するプラスチック製品では、該当するキャビティの間隙も当然薄く形成されることになるので、樹脂が充填されにくいという問題点がある。また、樹脂が充填される充填工程において、キャビティ内には空気などの気体が存在するだけでなく、溶融樹脂に起因するガスが発生する。これら溶融樹脂から発生するガス及び充填前のキャビティ内の空気は溶融樹脂により圧縮されて充填不良の原因となるが、特に薄肉部においては樹脂が逃げにくいために充填不良を起こしやすいという問題点がある。
【０００３】
そこで、ゲート位置を工夫したりガス抜き溝を工夫したりして薄肉部に対応するキャビティ内への樹脂の回り込み性を向上させているが、それでも０．４ｍｍ以下、例えば０．２５ｍｍ程度の薄肉部を形成するのは困難であるのが実情である。また、この種の薄肉部を有する成形体を射出成形により製造した場合、溶融樹脂を冷却固化した後離型工程が行われるが、この離型は通常キャビティに臨んで進退可能に設けられた突き出しピンなどにより押し出すものであり、薄肉部は通常広い面積を占めることが多いためここに突き出しピンが位置することになりかねない。そうすると０．２５ｍｍ程度の薄肉部では押された部分が変形してしまうという問題もある。
【０００４】
このような問題を解決するため、互いに開閉可能で型閉め時に相互間にキャビティを形成する複数の型体を用いて薄肉部を有する成形体を製造する成形体の製造方法において、前記成形体間に薄肉部材を配置した後型閉めし、前記キャビティ内に樹脂を射出し成形体を製造し、前記薄肉部材が射出樹脂と融合性を有する樹脂製のフィルム（例えば特許文献１及び特許文献２）とした製造方法が提案されている。
【０００５】
上記従来技術の製造方法では、薄肉部は別体である薄肉部材により成形されることになり射出成形により成形する必要はなくなるので、薄肉部の成形不良等が生じない。また、溶融樹脂を射出すると薄肉部材である樹脂製フィルムが溶融樹脂の熱により軟化あるいは溶融して、溶融樹脂と一体化するため、薄肉部材と射出樹脂との境界が渾然一体化した薄肉部を有する射出成形体を得ることができる。
【０００６】
ところで、上記のような製造方法において、薄肉部材の位置決めに、各種の方法が提案されている。例えば、特願２００３−４０２１５６号では、薄肉部材である発泡金属を、型閉め時に厚さ方向に圧縮することにより、位置決めする方法と、位置決めピンの先端をキャビティ内に突出し、これら位置決めピンは薄肉部材の周縁に係合し、複数の位置決めピンに挟んで位置決めする方法とが提案されている。
【特許文献１】特開２００２−３０７４７７号公報
【特許文献２】特開２００３−１２７１７２号公報
【発明の開示】
【発明が解決しようとする課題】
【０００７】
前記圧縮により位置決めする方法では、薄肉部材が小さくなると、圧縮による固定力が不十分となり、樹脂圧により位置ずれを生じる虞がある。また、ピンで挟む方法でも、同様に薄肉部材が小さくなったり、円形形状などになったりすると、位置決めが不十分になることが予想される。
【０００８】
本発明は、このような問題点を解決しようとするもので、小さな薄肉部材の位置決めを確実に行うことができる薄肉部を有する射出成形体の製造方法を提供することを目的とする。
【課題を解決するための手段】
【０００９】
請求項１の発明は、互いに開閉可能で型閉時に相互間にキャビティを形成する複数の型体を用い、前記キャビティ内に薄肉部材を配置した後、型閉めし、前記キャビティ内に樹脂を射出して成形体を製造する薄肉部を有する射出成形体の製造方法において、前記キャビティに進退可能な位置決めピンを前記型体に設け、前記薄肉部材に孔を形成し、前記キャビティ内に配置した薄肉部材の前記孔に前記位置決めピンを挿入した後、型閉めしたキャビティ内に樹脂を射出する製造方法である。
【００１０】
また、請求項２の発明は、前記型体は前記成形体を突き出す突き出しピンを備え、樹脂の射出後、前記位置決めピンを後退し、この後、前記突き出しピンにより成形体を離型する製造方法である。
【００１１】
また、請求項３の発明は、型開きの前に前記位置決めピンを後退する製造方法である。
【発明の効果】
【００１２】
請求項１の構成によれば、薄肉部材の孔に位置決めピンを挿入した状態で、樹脂を射出するため、位置決めピンにより薄肉部材が位置決めされ、位置ずれを生じることがない。そして、薄肉部は別体である薄肉部材により形成されるため、射出成形により成形する必要がなくなり、薄肉部に成形不良等が発生しない。
【００１３】
また、請求項２の構成によれば、位置決めピンを後退して、孔から位置決めピンを抜いた後、成形体を離型するから、薄肉部材を無理なく離型することができる。
【００１４】
また、請求項３の構成によれば、型開き前の型体により薄肉部を挟んだ状態で、位置決めピンを抜くから、位置決めピンを抜く際に薄肉部材に無理な力が加わらず、スムーズに位置決めピンを抜くことができる。
【発明を実施するための最良の形態】
【００１５】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な薄肉部を有する射出成形体の製造方法を採用することにより、従来にない薄肉部を有する射出成形体の製造方法が得られ、その薄肉部を有する射出成形体の製造方法について記述する。
【実施例１】
【００１６】
以下、本発明の実施例を添付図面を参照して説明する。図１〜図９は本発明の実施例１を示し、図１及び図２は、本発明の方法により製造可能な薄肉部を有する射出成形体の一例を示しており、同図において成形体１は、略平板状で、薄肉部を構成する薄肉部材２と、この薄肉部材２の周囲に形成された周囲平板部３とからなる。すなわち薄肉部材２は周囲平板部３の内側に位置する。前記薄肉部材２は、周囲平板部に比べて小さいものであって、この例では円形形状を成す。そして、前記薄肉部材２が成形体１の薄肉部となる。
【００１７】
また、図２に示すように、薄肉部材２及び周囲平板部３の厚さ寸法Ｗ１は0．40ｍｍ以下、0．20ｍｍ以上、具体的には約0．25ｍｍの厚さとなっている。尚、厚さ寸法Ｗ１は0．10ｍｍまで可能であるから、下限は0．10ｍｍ以上とすることができる。
【００１８】
前記薄肉部材２は略平板状の発泡金属からなる。この発泡金属の製法の一例を説明すると、金属粉末と水溶性バインダーと界面活性剤と水を混合し、更に非水溶性有機溶剤を添加して均一に分散分布させた混合物を平板状に加工して成形体を成形する。界面活性剤としては、一般に洗剤でよく、市販の台所用中性洗剤、例えばアルキルグルコシドとポリオキシエチレンアルキルエーテルの２８％混合水溶液等を使用することができる。また、非水溶性有機溶剤は、炭素数５〜８の非水溶性炭素系有機溶剤、例えば、ネオペンタン、イソヘキサン、ヘプタン、イソヘプタン、ベンゼン、オクタン、及びトルエン等を使用することができる。また、前記金属粉は、焼結後の多孔質金属体を構成するものであるから、従来の有孔金属焼結体を含め金属多孔質体に適用されている金属材料で構成してよく、その平均粒径が０．５μｍ未満になると焼結体の高気孔率化が困難になる。一方、その平均粒径が５００μｍを越えると、混合原料中での分散性が低下し、均質な焼結体の製造が困難となる。したがって、その平均粒径を０．５〜５００μｍ、望ましくは５〜１００μｍとする。以上の様に形成した成形体を加熱することにより前記非水溶性有機溶剤を発泡させて前記発泡金属を形成する。また、他の実施の形態として、金属粉末と水溶性バインダーと界面活性剤と水を混合し、更に非水溶性有機溶剤を添加して均一に分散分布させた混合物を平板状に成形して、これを加熱することにより前記非水溶性有機溶剤を発泡させて発泡金属を形成するようにしてもよい。
【００１９】
次に上述したような成形体１を製造する方法について図３〜図９に基づいて説明する。尚、図３〜図９では、理解を容易にするため、厚さ寸法Ｗ１を図２より厚く図示している。図３などにおいて、11は成形体１の一面側を形成する固定型であり、12は成形体１の他面側を形成する可動型であり、射出成形用金型の型体であるこれら固定型11及び可動型12は、互いに図示上下方向へ移動して開閉し、型閉め時に相互間に成形体１形状のキャビティ13を形成するものである。
【００２０】
一方、可動型12は、先端15Ａがキャビティ３内に進退する位置決めピン15を有し、この位置決めピン15を進退する位置決めピン進退手段（図示せず）を備える。また、可動型12は、先端がキャビティ13に臨んで位置する突き出しピン16を有し、この突き出しピン16は、突き出す前は先端がキャビティ13の面と同一面で、キャビティ13の面からその先端が突き出て成形体１を離型するものである。尚、前記突き出しピン16を進退する突き出しピン進退手段（図示せず）を備える。
【００２１】
型閉した前記固定型11および可動型12間には、固定型11に設けられたスプルー17から前記キャビティ13への分流用の材料通路であるランナー18と、このランナー18をキャビティ13に連通させるサイドゲート19が形成され、これらサイドゲート19から溶融樹脂Ｊがキャビティ13内に充填される。
【００２２】
前記突き出しピン16は前記薄肉部材２に対応して設けられ、この薄肉部材２のほぼ中心には、前記突き出しピン16の先端を挿入する孔２Ａが形成されている。
【００２３】
上述したような金型装置において、固定型11は、固定側型板21とこの固定側型板21の背面図示下面に取り付けられた固定受け板22とを有する。
【００２４】
次に、前記構成につきその作用を説明する。図３に示すようにはじめに固定型11と可動型12とは型開き状態にあり、位置決めピン15の先端15Ａが、可動型12のキャビティ面13Ａに突出している。薄肉部材２には予め孔２Ａが形成されており、薄肉部材２の孔２Ａを位置決めピン15の先端15Ａに合わせて薄肉部材２をキャビティ面13Ａ上に載置すると共に、位置決めピン15の先端15Ａを孔２Ａに挿入する。この場合、位置決めピン15の先端15Ａのキャビティ面13Ａからの突出寸法を、図３及び図５に示すように、型閉め後の薄肉部材２の厚さより小さく設定する。
【００２５】
このようにして発泡金属である薄肉部材２をセットしたら、図５に示すように、固定型11と可動型12とを型閉めする。尚、薄肉部材２Ａは、その厚さが型閉め状態のキャビティ13の厚さより大きなものを用い、型閉め時に固定型11及び可動型12により薄肉部材２Ａを圧縮するようにしており、この圧縮により固定型11及び可動型12に薄肉部材２が挟まれる。
【００２６】
そして、図６に示すようにゲート19からキャビティ13内に溶融樹脂Ｊを射出する（充填工程）。この充填工程において図示しない排気手段を作動させることによりガス抜き孔からキャビティ13内のガス（空気及び溶融樹脂Ｊから発生するガス）を吸引し、充填終了とほぼ同時に吸引を停止する。このようにガス抜きを行うことにより溶融樹脂Ｊがキャビティ13の全体にスムーズに流れて良好な充填が行われる。
【００２７】
この場合、溶融樹脂Ｊがキャビティ13内に充填されると、溶融樹脂Ｊの流れにより薄肉部材２が抵抗を受けるが、位置決めピン15により位置決めされているため、位置ずれを起すことがない。そして、薄肉部材２は発泡金属からなり、発泡金属は表面に気孔（図示せず）を有するから、キャビティ13内に充填された溶融樹脂Ｊが該気孔に入り込んでその後硬化することにより、両者が一体的に接合して成形体１が形成される。
【００２８】
そして、キャビティ13に充填した溶融樹脂Ｒが冷却固化した後、図７に示すように、型開き前に、位置決めピン15を後退し、後退後、固定型11と可動型12とを型開きし（図８）、これに続く離型工程において突き出しピン16が作動する（図９）。この突き出しピン16は、キャビティ13に臨んで配置されており、薄肉部材２以外の箇所に位置しているので離型時に薄肉部材２に変形をきたすおそれがない。
【００２９】
このように本実施例では、請求項１に対応して、互いに開閉可能で型閉時に相互間にキャビティ13を形成する複数の型体たる固定型11及び可動型12を用い、キャビティ13内に薄肉部材２を配置した後、型閉めし、キャビティ13内に樹脂Ｊを射出して成形体１を製造する薄肉部を有する射出成形体の製造方法において、キャビティ13に進退可能な位置決めピン15を可動型12に設け、薄肉部材２に孔２Ａを形成し、キャビティ13内に配置した薄肉部材２の孔２Ａに位置決めピン15を挿入した後、型閉めしたキャビティ13内に樹脂Ｊを射出するから、薄肉部材２の孔２Ａに位置決めピン15を挿入した状態で、樹脂Ｊを射出するため、位置決めピン15により薄肉部材２が位置決めされ、位置ずれを生じることがない。そして、薄肉部は別体である薄肉部材２により形成されるため、射出成形により成形する必要がなくなり、薄肉部に成形不良等が発生しない。
【００３０】
また、このように本実施例では、請求項２に対応して、型体たる可動型12は成形体１を突き出す突き出しピン16を備え、樹脂Ｊの射出後、位置決めピン15を後退し、この後、突き出しピン16により成形体１を離型するから、位置決めピン15を後退することにより、孔２Ａから位置決めピン15を抜いた後、成形体１を離型するため、薄肉部材２を無理なく離型することができる。
【００３１】
また、このように本実施例では、請求項３に対応して、型開きの前に位置決めピン15を後退するから、型開き前の固定型11及び可動型12により薄肉部を挟んだ状態で、位置決めピン15を抜くから、位置決めピン15を抜く際に薄肉部材２に無理な力が加わらず、スムーズに位置決めピン15を抜くことができる。
【００３２】
また、発泡金属からなる薄肉部材２に予め孔２Ａを形成したから、孔２Ａの位置を正確に設定することができ、これにより孔２Ａと位置決めピン15の係合により、キャビティ13内における薄肉部材２の位置決めを正確に行うことができる。
【００３３】
尚、本発明は、前記実施形態に限定されるものではなく、種々の変形実施が可能である。例えば、薄肉部材の断面形状は円形に限らず、角形でもよい。
【図面の簡単な説明】
【００３４】
【図１】本発明の実施例１を示す成形体の平面図である。
【図２】同上、成形体の一部を断面にした斜視図である。
【図３】同上、成形装置の断面図であり、型開き状態を示す。
【図４】同上、ゲート周りの断面図である。
【図５】同上、成形装置の断面図であり、型閉め状態を示す。
【図６】同上、成形装置の断面図であり、型開き状態で樹脂充填後を示す。
【図７】同上、成形装置の断面図であり、型開き状態で樹脂充填後、位置決めピンを後退した状態を示す。
【図８】同上、成形装置の断面図であり、型開工程を示す。
【図９】同上、成形装置の断面図であり、離型工程を示す。
【符号の説明】
【００３５】
１  成形体
２  薄肉部材
２Ａ  孔
11  固定型（型体）
12  可動型（型体）
13  キャビティ
14  ゲート
15  位置決めピン
16  突き出しピン
Ｊ  溶融樹脂
【図１】
2006062203.tif 000003
【図２】
2006062203.tif 000004
【図３】
2006062203.tif 000005
【図４】
2006062203.tif 000006
【図５】
2006062203.tif 000007
【図６】
2006062203.tif 000008
【図７】
2006062203.tif 000009
【図８】
2006062203.tif 000010
【図９】
2006062203.tif 000011